(57)【要約】【課題】搬送装置において、簡素な構成で吸引領域を調整する。【解決手段】搬送装置は、媒体の一例である用紙Ｓを搬送する搬送機構２０と、吸引力によって用紙Ｓを搬送機構２０に吸着させる吸引機構３０とを備える。吸引機構３０は、搬送機構２０による用紙Ｓの搬送方向（右方向）に直交する幅方向（前後方向）へ吸引領域Ａ１の広さを可変に移動する可動ガイド部３３，３４を有する。【選択図】図３
2020203767.tif 000002
【特許請求の範囲】
【請求項１】
媒体を搬送する搬送機構と、
吸引力によって前記媒体を前記搬送機構に吸着させる吸引機構とを備え、
前記吸引機構は、前記搬送機構による前記媒体の搬送方向に直交する幅方向へ吸引領域の広さを可変に移動する可動ガイド部を有する
ことを特徴とする搬送装置。
【請求項２】
前記吸引機構は、エアの吸引力によって前記媒体を前記搬送機構に吸着させ、
前記可動ガイド部は、他の前記吸引領域よりもエアの吸引力が強いガイド吸引部を含む
ことを特徴とする請求項１記載の搬送装置。
【請求項３】
前記ガイド吸引部は、前記他の吸引領域とは異なる吸引経路でエアを吸引する
ことを特徴とする請求項２記載の搬送装置。
【発明の詳細な説明】
【技術分野】
【０００１】
本発明は、媒体を搬送機構に吸着させる吸引機構を備える搬送装置に関する。
【背景技術】
【０００２】
従来、インクジェット印刷装置等の印刷装置において、用紙を搬送するベルトと、このベルトの内部に配置されたプラテンとに設けられた多数の通気孔を介してエアを吸引することによって、ベルトに媒体を吸着させる印刷装置が知られている。
【０００３】
このような印刷装置において、カールが発生しやすい再生紙が検出された場合に、再生紙の端部に対応するシャッタのみを開くことによって、再生紙を搬送ベルト面に吸着する印刷装置が提案されている（例えば、特許文献１参照）。
【先行技術文献】
【特許文献】
【０００４】
【特許文献１】特開平４−３３３４４８号公報
【発明の概要】
【発明が解決しようとする課題】
【０００５】
ところで、印刷装置等に配置される搬送装置において、用紙等の媒体には、カール等の凹凸が発生することがある。この媒体の凹凸は、例えば、高温多湿環境にある場合に、媒体内の水分量にばらつきが生じることによって発生する。なお、媒体の凹凸は、特に媒体の端部において大きく発生しやすい。
【０００６】
媒体に凹凸が発生していると、媒体をベルト等の搬送機構に吸着させることが困難になるため、凹凸が発生していない媒体を搬送機構に吸着させるよりも、強い吸引力が必要となる。媒体の全体を搬送機構に吸着させられないと、媒体に浮きが発生するため、ジャムが生じやすい。なお、印刷装置においては、媒体に浮きが発生していると、印字ヘッドに媒体が接触することで印字ヘッドを破損させることもあり得る。
【０００７】
また、媒体のサイズが小さい場合などに、媒体が無い部分においてもエアの吸引を行うと、搬送機構に対する媒体の吸着力が弱くなる。そのため、媒体のサイズに合わせて複数のシャッタを配置し、媒体がある部分のシャッタのみを開放させることも考えられるが、媒体は、不定形サイズも含めると様々なサイズがあるため、様々なサイズに合わせてシャッタを配置することは困難である。したがって、媒体のサイズによっては、上述のように媒体が無い部分においてもエアの吸引を行うことになり、媒体の吸着力が弱くなる。なお、複数のシャッタを配置すると、複数のシャッタのそれぞれを駆動する駆動手段の配置も必要となるため、構造が複雑化する。また、搬送装置がインクジェット印刷装置に配置される場合には、媒体が無い部分においてエアを吸引すると、インクジェットヘッドから放出されるミストがエアとともに吸引されてしまう。このミストがベルト等の搬送機構に付着すると、ひいては後に搬送される用紙に付着することになる。
【０００８】
本発明の目的は、簡素な構成で吸引領域を調整することができる搬送装置を提供することである。
【課題を解決するための手段】
【０００９】
１つの態様では、搬送装置は、媒体を搬送する搬送機構と、吸引力によって前記媒体を前記搬送機構に吸着させる吸引機構とを備え、前記吸引機構は、前記搬送機構による前記媒体の搬送方向に直交する幅方向へ吸引領域の広さを可変に移動する可動ガイド部を有する。
【発明の効果】
【００１０】
前記態様によれば、簡素な構成で吸引領域を調整することができる。
【図面の簡単な説明】
【００１１】
【図１】一実施の形態におけるインクジェット印刷装置を示す構成図である。
【図２】一実施の形態におけるインクジェット印刷装置の制御構成を示す図である。
【図３】一実施の形態における吸引機構（幅広用紙搬送時）を示す説明図である。
【図４】一実施の形態における吸引機構（幅狭用紙搬送時）を示す説明図である。
【図５】変形例における吸引機構（幅広用紙搬送時）を示す説明図である。
【図６】変形例における吸引機構（幅狭用紙搬送時）を示す説明図である。
【発明を実施するための形態】
【００１２】
以下、本発明の実施の形態に係る搬送装置について、図面を参照しながら説明する。
図１は、インクジェット印刷装置１を示す構成図である。
【００１３】
図２は、インクジェット印刷装置１の制御構成を示す図である。
なお、図１及び図２並びに後述する図３〜図６に示す上下、左右、前後の各方向は、媒体の一例である用紙Ｓの搬送方向に直交する幅方向を前後方向とした場合の説明の便宜上の一例に過ぎないが、上下方向は鉛直方向であり、左右方向及び前後方向は水平方向である。
【００１４】
図１に示すように、インクジェット印刷装置１は、印刷部１０と、搬送機構２０と、吸引機構３０と、給紙部４０と、排紙部５０と、搬送ローラ６１と、切替機構６２と、幅検出センサ７０とを備える。また、図２に示すように、インクジェット印刷装置１は、制御部８１と、記憶部８２と、操作パネル部８３と、原稿読取部８４と、インターフェース部８５とを更に備える。
【００１５】
なお、図１に示す搬送機構２０、吸引機構３０、搬送ローラ６１、及び切替機構６２、並びに後述する搬送路Ｒ１及び循環搬送路Ｒ２は、搬送装置の一例である。但し、搬送装置は、搬送機構２０及び吸引機構３０のみからなるものであってもよい。また、搬送装置は、インクジェット印刷装置１を一例とする印刷装置に配置されるとよいが、用紙Ｓに対する印刷以外の処理（例えば製本）が行われる装置に配置されてもよい。また、搬送装置は、何らの処理も行われない用紙Ｓを搬送する搬送装置であってもよい。
【００１６】
印刷部１０は、用紙Ｓに対してインクを吐出する複数のインクジェットヘッド１１〜１４を有する。なお、インクジェットヘッド１１〜１４は、印刷に用いられる各色分のラインヘッド型のインクジェットヘッドであるために複数配置されているが、印刷部１０には、単一のインクジェットヘッドのみが配置されていてもよい。印刷部１０は、インクジェット印刷装置１以外の印刷装置においては、インクジェット方式以外の印刷方式で用紙Ｓに印刷を行うため、印刷部１０の印刷方式はインクジェット方式に限られない。なお、インクジェットヘッド１１〜１４がインクを吐出する際には、インクミストが放出されてしまう。
【００１７】
搬送機構２０は、搬送ベルト２１と、プーリ２２〜２５と、プラテン２６とを有する。
搬送ベルト２１は、プーリ２２〜２５に掛け渡された例えば無端帯状のベルトである。搬送ベルト２１には、吸引機構３０によって吸引されるエアを通すための通気孔が複数形成されている。
【００１８】
プーリ２２〜２５のうち例えば１つのプーリは、図示しない搬送駆動手段（例えば、モータ等のアクチュエータ）から動力を伝達されることによって回転する駆動プーリであり、他のプーリは、搬送ベルト２１の回転に伴って回転する従動プーリである。
【００１９】
プラテン２６は、搬送ベルト２１を挟んでインクジェットヘッド１１〜１４に対向するように、インクジェットヘッド１１〜１４の下方に配置されている。プラテン２６は、平板状を呈する。プラテン２６にも、吸引機構３０によって吸引されるエアを通すための通気孔が複数形成されている。
【００２０】
なお、搬送機構２０は、プラテン２６の下部に配置された図示しないプラテン支持部材がワイヤによって吊り下げられることによって、プラテン２６（搬送ベルト２１）とインクジェットヘッド１１〜１４との間隔を調整可能になっているとよい。その場合、プラテン支持部にも、吸引機構３０によって吸引されるエアを通すための通気孔が複数形成される。また、搬送機構２０としては、搬送ベルト２１を用いて用紙Ｓを搬送するものに限られず、ローラ等の搬送部材を用いて用紙Ｓを搬送するものであってもよい。その場合、例えば搬送部材間の隙間からエアが吸引されることによって、用紙Ｓが搬送部材に吸着される。
【００２１】
吸引機構３０は、吸引ファン３１と、チャンバ３２と、図３及び図４に示す一対の可動ガイド部３３，３４とを有し、エアを吸引することによって用紙Ｓを搬送機構２０に吸着させる。なお、用紙Ｓを搬送機構２０に吸着させるための吸引力は、エアを用いなくとも、例えば、静電力（静電引力）、磁力などを用いても得られるため、エアの吸引力に限定されない。
【００２２】
吸引ファン３１は、例えば搬送ベルト２１の内部に配置され、下方にエアを吸引する。
チャンバ３２は、吸引ファン３１の上方に配置されている。チャンバ３２は、吸引ファン３１によってエアが吸引されることで、搬送ベルト２１の通気孔に吸引作用を発生させるための負圧室を形成する。
【００２３】
図３及び図４に示す可動ガイド部３３，３４は、ガイド吸引部３３ａ，３４ａと、仕切り３３ｂ，３４ｂとを含み、チャンバ３２において、エアの吸引領域Ａ１と非吸引領域Ａ２とを仕切る。可動ガイド部３３，３４は、搬送機構２０による用紙Ｓの搬送方向（右方向：図３及び図４における紙面に直交する奥行き方向）に直交する幅方向（前後方向：図３及び図４における左右方向）へ吸引領域Ａ１の広さを可変に移動する。そのため、非吸引領域Ａ２は、吸引領域Ａ１を挟んで、用紙Ｓの幅方向の両側に形成される。なお、可動ガイド部３３，３４は、後述する制御部８１の制御によって、可動ガイド部３３，３４の図示しないガイド駆動手段（例えば、ステッピングモータ等のアクチュエータ）の駆動制御が行われることで、用紙Ｓの幅方向における端部へ、断続的でなく連続的（無段階）に移動するとよい。可動ガイド部３３，３４は、例えば、用紙Ｓの幅方向に延びるラックに噛み合うピニオンを有し、上記ガイド駆動手段がピニオンを回転させることによって用紙Ｓの幅方向に移動可能であるとよい。
【００２４】
図３に示すように、幅広用紙Ｓ１を搬送ベルト２１に吸着させる場合、一方の可動ガイド部３３と他方の可動ガイド部３４とは、幅広用紙Ｓ１の幅方向（前後方向）における両端に位置する。
【００２５】
また、図４に示すように、幅広用紙Ｓ１よりも幅が狭い幅狭用紙Ｓ２を搬送ベルト２１に吸着させる場合、一方の可動ガイド部３３と他方の可動ガイド部３４とは、図３に示す幅広用紙Ｓ１が搬送される場合よりも互いに接近し、幅狭用紙Ｓ２の幅方向（前後方向）における両端に位置する。
【００２６】
ガイド吸引部３３ａ，３４ａは、例えば用紙Ｓの搬送方向（右方向）においてチャンバ３２の全体に亘るように配置されている。ガイド吸引部３３ａ，３４ａは、例えば上端に設けられる吸引孔からエアを吸引する。ガイド吸引部３３ａ，３４ａは、他の吸引領域Ａ１（吸引ファン３１による吸引領域）とは異なる吸引経路でエアを吸引する。この吸引経路には、図示しない吸引ファンが設けられる。ガイド吸引部３３ａ，３４ａは、他の吸引領域Ａ１よりもエアの吸引力が強い。なお、ガイド吸引部３３ａ，３４ａによるエアの吸引力は、用紙Ｓのサイズ、厚さ、坪量などの用紙情報（媒体情報）に基づいて、或いはユーザの設定などに基づいて、制御部８１によって調整されてもよい。
【００２７】
仕切り３３ｂ，３４ｂは、ガイド吸引部３３ａ，３４ａの下部に連結されている。仕切り３３ｂ，３４ｂは、例えば用紙Ｓの搬送方向（右方向）においてチャンバ３２の全体に亘るＬ字板状を呈し、ガイド吸引部３３ａ，３４ａとともに吸引領域Ａ１と非吸引領域Ａ２とを仕切る。なお、仕切り３３ｂ，３４ｂ内には、ガイド吸引部３３ａ，３４ａの吸引経路が設けられている。
【００２８】
図１に示す給紙部４０は、給紙台４１と、スクレーパローラ４２と、ピックアップローラ４３とを有する。
【００２９】
給紙台４１には、印刷前の用紙Ｓが積載される。
スクレーパローラ４２は、給紙台４１に積載された用紙Ｓのうち最上位に位置する用紙Ｓを繰り出して搬送する繰り出しローラである。
【００３０】
ピックアップローラ４３は、スクレーパローラ４２によって繰り出された用紙Ｓを搬送路Ｒ１へ搬送する。
【００３１】
排紙部５０は、排紙台５１と、排出ローラ５２とを有する。
排紙台５１には、インクジェット印刷装置１の内部（搬送路Ｒ１）から排出された印刷済みの用紙Ｓが積載される。
【００３２】
排出ローラ５２は、インクジェット印刷装置１の内部から排紙台５１へ用紙Ｓを排出する一対のローラである。
【００３３】
搬送ローラ６１は、インクジェット印刷装置１内の搬送路Ｒ１に複数対配置され、用紙Ｓを搬送する。
【００３４】
切替機構６２は、印刷部１０を通過した搬送路Ｒ１内の用紙Ｓの搬送経路を、両面印刷のために印刷部１０に再搬送するための循環搬送路Ｒ２側と、排紙台５１側とに切り替える。なお、循環搬送路Ｒ２において、用紙Ｓは表裏が反転する。
【００３５】
幅検出センサ７０は、搬送路Ｒ１における印刷部１０の上流側に配置されている。幅検出センサ７０は、例えば、用紙Ｓの幅方向（前後方向）に延びるラインセンサである。幅検出センサ７０は、用紙Ｓの搬送方向（右方向）に直交する幅方向（前後方向）の幅を検出する。なお、搬送路Ｒ１において、幅方向の中央で用紙Ｓが搬送される場合と、幅方向の一端で用紙Ｓが搬送される場合との両方があるときには、幅検出センサ７０は、用紙Ｓの幅のみならず、用紙Ｓの幅方向の位置を検出するとよい。
【００３６】
図２に示す制御部８１は、例えば、インクジェット印刷装置１の各部の動作を制御する演算処理装置として機能するプロセッサ（例えばＣＰＵ：Central Processing Unit）を有する。制御部８１は、幅検出センサ７０によって検出された用紙Ｓの幅（或いは、幅及び幅方向の位置）に基づいて、可動ガイド部３３，３４の駆動制御を行うとよい。なお、制御部８１は、印刷ジョブから取得した用紙Ｓの幅の情報に基づいて、可動ガイド部３３，３４の駆動制御を行ってもよい。
【００３７】
記憶部８２は、例えば、所定の制御プログラムが予め記録されている読み出し専用半導体メモリであるＲＯＭ（Read Only Memory）、プロセッサが各種の制御プログラムを実行する際に必要に応じて作業用記憶領域として使用される随時書き込み読み出し可能な半導体メモリであるＲＡＭ（Random Access Memory）、ハードディスク装置などである。
【００３８】
操作パネル部８３は、各種操作を行うための操作キー、各種情報を表示する表示部などを有することで、インクジェット印刷装置１の入力部及び表示部の一例として機能する。
【００３９】
原稿読取部８４は、原稿から画像データを読み取るスキャナを有する。
インターフェース部８５は、ネットワークを介して接続されるパーソナルコンピュータなどの外部機器との間での各種情報の授受を行う。例えば、インターフェース部８５は、パーソナルコンピュータなどの外部機器から画像データを含む印刷ジョブを受信可能であるとよい。
【００４０】
以上説明した本実施の形態では、インクジェット印刷装置１に配置される搬送装置は、媒体の一例である用紙Ｓを搬送する搬送機構２０と、吸引力によって用紙Ｓを搬送機構２０に吸着させる吸引機構３０とを備える。吸引機構３０は、可動ガイド部３３，３４を有する。この可動ガイド部３３，３４は、搬送機構２０による用紙Ｓの搬送方向（右方向）に直交する幅方向（前後方向）へ吸引領域Ａ１の広さを可変に移動する。
【００４１】
そのため、可動ガイド部３３，３４が用紙Ｓの幅方向に移動することによって、用紙Ｓの幅方向のサイズに合わせて吸引領域Ａ１を調整することができる。更には、複数のシャッタの開閉によって吸引領域を調整する従来の態様と比較して、可動ガイド部３３，３４を移動させる簡素な構成で、吸引領域Ａ１を調整することができる。よって、本実施の形態によれば、簡素な構成で吸引領域Ａ１を調整することができる。
【００４２】
また、吸引機構３０がエアの吸引力によって用紙Ｓを搬送機構２０に吸着させる場合、チャンバ３２内の非吸引領域Ａ２からエアを吸引しないことによって、吸引領域Ａ１の吸引力を高めることができる。そのため、搬送機構２０に対する用紙Ｓの吸着力を高めることができることによって、用紙Ｓの凹凸に起因して浮きが発生するのを抑制することができる。そのため、搬送装置が印刷装置に配置されている場合、用紙Ｓの浮いた部分がインクジェットヘッド１１〜１４等の印字ヘッドに接触することに起因して、印字ヘッドが破損したり或いはジャムが生じたりするのを防止することもできる。また、用紙Ｓの幅方向のサイズに合わせて吸引領域Ａ１を設定することができるため、搬送装置がインクジェット印刷装置１に配置されている場合、インクジェットヘッド１１〜１４から放出されるミストが吸引機構３０によって吸引されるのを防止することもできる。これにより、ミストが搬送機構２０（搬送ベルト２１）に付着し、ひいては後に搬送される用紙Ｓに付着するのを防止することもできる。
【００４３】
また、本実施の形態では、吸引機構３０は、エアの吸引力によって用紙Ｓを搬送機構２０に吸着させ、可動ガイド部３３，３４は、他の吸引領域Ａ１よりもエアの吸引力が強いガイド吸引部３３ａ，３４ａを含む。可動ガイド部３３，３４は、用紙Ｓの搬送方向（右方向）に直交する幅方向（前後方向）へ吸引領域Ａ１の広さを可変に移動するため、可動ガイド部３３，３４のガイド吸引部３３ａ，３４ａが用紙Ｓの幅方向の端部において、搬送機構２０に対する用紙Ｓの吸着力を一層高めることができる。したがって、用紙Ｓのうち凹凸が発生しやすい幅方向の端部において、用紙Ｓの凹凸に起因する浮きが発生するのをより一層抑制することができる。
【００４４】
また、本実施の形態では、ガイド吸引部３３ａ，３４ａは、他の吸引領域Ａ１（吸引ファン３１による吸引領域）とは異なる吸引経路でエアを吸引する。これにより、用紙Ｓの幅方向の端部におけるエアの吸引力を、他の吸引領域Ａ１（吸引ファン３１によってエアが吸引される領域）におけるエアの吸引力に左右されずに自在に高めることができる。
【００４５】
図５及び図６は、変形例における吸引機構９０を示す説明図である。
図５及び図６に示す吸引機構９０は、吸引ファン９１と、チャンバ９２と、一対の可動ガイド部９３，９４とを有し、エアを吸引することによって用紙Ｓを搬送機構２０（搬送ベルト２１）に吸着させる。
【００４６】
吸引ファン９１及びチャンバ９２は、図３及び図４に示す吸引ファン３１及びチャンバ３２と同様にすることができる。
【００４７】
可動ガイド部９３，９４は、ガイド吸引部９３ａ，９４ａと、仕切り９３ｂ，９４ｂとを含み、チャンバ９２において、エアの吸引領域Ａ１と非吸引領域Ａ２とを仕切る。可動ガイド部９３，９４は、搬送機構２０による用紙Ｓの搬送方向（右方向：図５及び図６における紙面に直交する奥行き方向）に直交する幅方向（前後方向：図５及び図６における左右方向）へ吸引領域Ａ１の広さを可変に移動する。なお、可動ガイド部９３，９４は、上述の制御部８１の制御によって、可動ガイド部９３，９４の図示しないガイド駆動手段（例えば、モータ等のアクチュエータ）の駆動制御が行われることで、用紙Ｓの幅方向における端部へ、断続的でなく連続的（無段階）に移動するとよい。可動ガイド部９３，９４は、例えば、用紙Ｓの幅方向に延びるラックに噛み合うピニオンを有し、上記ガイド駆動手段がピニオンを回転させることによって用紙Ｓの幅方向に移動可能であるとよい。
【００４８】
図５に示すように、幅広用紙Ｓ１を搬送ベルト２１に吸着させる場合、一方の可動ガイド部９３と他方の可動ガイド部９４とは、幅広用紙Ｓ１の幅方向（前後方向）における両端に位置する。
【００４９】
また、図６に示すように、幅広用紙Ｓ１よりも幅が狭い幅狭用紙Ｓ２を搬送ベルト２１に吸着させる場合、一方の可動ガイド９３と他方の可動ガイド部９４とは、図５に示す幅広用紙Ｓ１が搬送される場合よりも互いに接近し、幅狭用紙Ｓ２の幅方向（前後方向）における両端に位置する。
【００５０】
ガイド吸引部９３ａ，９４ａは、本変形例では、他の吸引領域Ａ１（吸引ファン９１による吸引領域）とは異なる吸引経路でエアを吸引するのではなく、用紙Ｓの搬送方向（右方向）に長手方向を有する板状部材と仕切り９３ｂ，９４ｂとの間に設けられている。ガイド吸引部９３ａ，９４ａは、上方にいくほど幅方向の幅が狭くなるように上述の板状部材が斜めに配置された状態で仕切り９３ｂ，９４ｂに連結されていることで、エアの吸引力が他の吸引領域Ａ１におけるエアの吸引力よりも強くなっている。このように、ガイド吸引部９３ａ，９４ａのエアの吸引力を、他の吸引領域Ａ１におけるエアの吸引力よりも強くするためには、上述の実施の形態の吸引ファン３１とは異なる吸引経路を有するガイド吸引部３３ａ，３４ａを用いた構成に限られない。
【００５１】
仕切り９３ｂ，９４ｂは、例えば用紙Ｓの搬送方向（右方向）においてチャンバ９２の全体に亘るＬ字板状を呈し、単体で吸引領域Ａ１と非吸引領域Ａ２とを仕切る。
【００５２】
以上説明した本変形例の吸引機構９０は、上述の吸引機構３０と同様に、エアを吸引することによって用紙Ｓを搬送機構２０に吸着させ、エアの吸引領域Ａ１と非吸引領域Ａ２とを仕切る可動ガイド部９３，９４を有する。この可動ガイド部９３，９４は、搬送機構２０による用紙Ｓの搬送方向（右方向）に直交する幅方向（前後方向）へ吸引領域Ａ１の広さを可変に移動する。
【００５３】
そのため、本変形例の吸引機構９０を備える搬送装置によっても、上述の吸引機構３０を備える搬送装置と同様の効果、すなわち、簡素な構成で吸引領域Ａ１を調整することができるなどの効果を得ることができる。
【００５４】
また、本変形例においても、吸引機構９０は、エアの吸引力によって用紙Ｓを搬送機構２０に吸着させ、可動ガイド部９３，９４は、他の吸引領域Ａ１よりもエアの吸引力が強いガイド吸引部９３ａ，９４ａを含む。したがって、上述の実施の形態と同様に、用紙Ｓのうち凹凸が発生しやすい幅方向の端部において、用紙Ｓの凹凸に起因する浮きが発生するのをより一層抑制することができる。
【００５５】
更には、本変形例では、ガイド吸引部９３ａ，９４ａが、上述の実施の形態のように他の吸引領域Ａ１（吸引ファン９１による吸引領域）とは異なる吸引経路でエアを吸引するのではなく、吸引ファン９１による吸引経路でエアを吸引するため、吸引ファン９１とは異なる吸引経路を配置する場合よりも構造を簡素化することができる。
【００５６】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５７】
［付記１］
媒体を搬送する搬送機構と、
吸引力によって前記媒体を前記搬送機構に吸着させる吸引機構とを備え、
前記吸引機構は、前記搬送機構による前記媒体の搬送方向に直交する幅方向へ吸引領域の広さを可変に移動する可動ガイド部を有する
ことを特徴とする搬送装置。
【００５８】
［付記２］
前記吸引機構は、エアの吸引力によって前記媒体を前記搬送機構に吸着させ、
前記可動ガイド部は、他の前記吸引領域よりもエアの吸引力が強いガイド吸引部を含む
ことを特徴とする付記１記載の搬送装置。
【００５９】
［付記３］
前記ガイド吸引部は、前記他の吸引領域とは異なる吸引経路でエアを吸引する
ことを特徴とする付記２記載の搬送装置。
【符号の説明】
【００６０】
１  インクジェット印刷装置
１０  印刷部
１１〜１４  インクジェットヘッド
２０  搬送機構
２１  搬送ベルト
２２〜２５  プーリ
２６  プラテン
３０  吸引機構
３１  吸引ファン
３２  チャンバ
３３，３４  可動ガイド部
３３ａ，３４ａ  ガイド吸引部
３３ｂ，３４ｂ  仕切り
４０  給紙部
４１  給紙台
４２  スクレーパローラ
４３  ピックアップローラ
５０  排紙部
５１  排紙台
５２  排出ローラ
６１  搬送ローラ
６２  切替機構
７０  幅検出センサ
８１  制御部
８２  記憶部
８３  操作パネル部
８４  原稿読取部
８５  インターフェース部
９０  吸引機構
９１  吸引ファン
９２  チャンバ
９３，９４  可動ガイド部
９３ａ，９４ａ  ガイド吸引部
９３ｂ，９４ｂ  仕切り
Ａ１  吸引領域
Ａ２  非吸引領域
Ｒ１  搬送路
Ｒ２  循環搬送路
Ｓ（Ｓ１，Ｓ２）  用紙
【図１】
2020203767.tif 000003
【図２】
2020203767.tif 000004
【図３】
2020203767.tif 000005
【図４】
2020203767.tif 000006
【図５】
2020203767.tif 000007
【図６】
2020203767.tif 000008